(57)【要約】【課題】  折畳式携帯無線機において、筐体を閉じて金属板上に置いた場合と通話状態の両方において高いアンテナ性能を確保すること。【解決手段】  上部筐体１と下部筐体２とを回動自在に接続するヒンジ部３とを有する折畳式携帯無線機において、ヘリカルアンテナ４が上部筐体１のヒンジ部側２において下部筐体２側へ突出するように配置される。【選択図】  図１
2005348096.tif 000002
【特許請求の範囲】
【請求項１】
上部筐体と下部筐体とを回動自在に接続するヒンジ部を有する折畳式携帯無線機であって、
前記上部筐体のヒンジ部側において前記下部筐体側へ突出するように配置されたアンテナ部を備えることを特徴とする折畳式携帯無線機。
【請求項２】
前記上部筐体と前記下部筐体が閉じられた状態において、
前記上部筐体の面のうち前記下部筐体に対して反対面側に寄った位置に前記アンテナ部が配置されることを特徴とする請求項１記載の折畳式携帯無線機。
【請求項３】
筐体が閉じられた状態で見ることができる表示部を前記上部筐体の第一面に備え、
前記表示部が上に向けられた姿勢で前記折畳式携帯無線機が物体上に置かれた状態において、前記アンテナ部が前記物体から所定の間隔を隔てられるように配置されることを特徴とする請求項１記載の折畳式携帯無線機。
【請求項４】
前記上部筐体に内蔵された前記アンテナ部に接続される給電回路と、
前記下部筐体に配置された無線回路と、
前記給電回路と前記無線回路とを前記ヒンジ部を通して接続する給電系を具備することを特徴とする請求項１、２又は３記載の折畳式携帯無線機。
【発明の詳細な説明】
【技術分野】
【０００１】
本発明は、折畳式携帯無線機のアンテナに関する。
【背景技術】
【０００２】
従来の折畳式携帯無線機においては、例えば、図７及び図８に示すように、アンテナ４を下部筐体２のヒンジ部３側に配置したものが広く利用されている。このような構成の例として、特許文献１記載の折畳式携帯無線機が挙げられる。この構成では、図８に示す通話状態においてアンテナ４が頭部２２から離れるので、通話状態において高いアンテナ性能を確保できるものである。
【０００３】
また他の例としては、図９及び図１０に示すようにアンテナ４を上部筐体１の最上端に配置する構成が利用されている。
【特許文献１】特開２００２−２７０６６号公報
【発明の開示】
【発明が解決しようとする課題】
【０００４】
しかしながら、上記従来のアンテナ４を下部筐体２のヒンジ部３側に配置した折畳式携帯無線機では、図７に示すように筐体を閉じて背面の副表示部５を上に向けて金属板１９上に置いた場合において、アンテナ４と金属板１９との間隔ｈ２が５ｍｍ程度以下となりアンテナ性能が劣化するという課題があった。
【０００５】
また、上記従来のアンテナ４を上部筐体１の最上端に配置した折畳式携帯無線機では、図９に示すように筐体を閉じて電池側を下にして金属板１９上に置いた場合において、アンテナ４と金属板１９との間隔ｈ３が２０ｍｍ以上になるよう離すことができる。しかし、図１０に示すように、筐体を開いた通話状態においてアンテナ部と頭部２２とが近接することによりアンテナ性能が劣化するという課題があった。
【０００６】
本発明は上記事情に鑑みてなされたものであり、その目的は、筐体を閉じて金属板上に置いた場合と通話状態との両方において高いアンテナ性能を確保できる折畳式携帯無線機を提供することにある。
【課題を解決するための手段】
【０００７】
上記目的を達成するために、本発明に係る折畳式携帯無線機は、上部筐体と下部筐体とを回動自在に接続するヒンジ部を有する折畳式携帯無線機であって、前記上部筐体のヒンジ部側において前記下部筐体側へ突出するように配置されたアンテナ部を備えるように構成される。
【０００８】
上記構成によれば、通話状態において高いアンテナ性能が得られる。
【０００９】
また、前記上部筐体と前記下部筐体が閉じられた状態において、前記上部筐体の面のうち前記下部筐体に対して反対面側に寄った位置に前記アンテナ部が配置されるように構成される。
【００１０】
上記構成によれば、筐体が閉じられて下部筐体が金属板に接するように置かれた状態において高いアンテナ性能が得られる。
【００１１】
また、筐体が閉じられた状態で見ることができる表示部を前記上部筐体の第一面に備え、
前記表示部が上に向けられた姿勢で前記折畳式携帯無線機が物体上に置かれた状態において、前記アンテナ部が前記物体から所定の間隔を隔てられるように配置されるように構成される。
上記構成によれば、筐体が閉じられて下部筐体が金属板に接するように置かれた状態において高いアンテナ性能が得られる。
【００１２】
また、前記上部筐体に内蔵された前記アンテナ部に接続される給電回路と、前記下部筐体に配置された無線回路と、前記給電回路と前記無線回路とを前記ヒンジ部を通して接続する給電系を具備するように構成される。
【００１３】
上記構成によれば、給電系を短くすることで損失を低減でき高いアンテナ性能が得られる。
【発明の効果】
【００１４】
本発明によれば、筐体を閉じて金属板上に置いた場合と通話状態との両方において高いアンテナ性能を確保できる。
【発明を実施するための最良の形態】
【００１５】
以下、本発明に係る折畳式携帯無線機の実施の形態について、図面を参照して詳細に説明する。
【００１６】
図１〜図４は本発明の実施形態に係る折畳式携帯無線機の基本的構成を示す図であり、図１は折畳式携帯無線機の筐体を開いた状態の斜視図、図２は筐体を閉じて金属板上においた側面図、図３は筐体を開いた状態の側面図、図４は折畳式携帯無線機のアンテナ近傍の拡大図である。
【００１７】
本実施形態の携帯無線機は、上部筐体１、下部筐体２、ヒンジ部３、ヘリカルアンテナ４、副表示部５、発音部６、主表示部７を備える。上部筐体１及び下部筐体２は、樹脂により構成されており、一般に長さは１００ｍｍ、幅は５０ｍｍ程度に設定される。
【００１８】
上部筐体１及び下部筐体２はヒンジ部３により回動可能なように接続され、ヒンジ部３は取付ねじ１８により、下部筐体２に固定される。発音部６は上部筐体１の上端に配設されている。主表示部７は上部筐体１に配設され、副表示部５は、上部筐体１において主表示部５の反対面に、筐体を閉じた状態のままでも表示された情報が確認できるように配設されている。
【００１９】
ヘリカルアンテナ４は上部筐体１のヒンジ部３側に配置され、筐体が開かれた状態において下部筐体２の方向に突出している。また、筐体が閉じられた状態において、ヘリカルアンテナ４は下部筐体２と反対面になるように配置されている。このようなアンテナ配置により、上部筐体１が上に向けられた状態で金属板のような物体上に置くと、ヘリカルアンテナ４と金属板１９との間隔ｈ１は２０ｍｍ程度となる。
【００２０】
ヘリカルアンテナ４の整合回路１０は上部回路基板１７のヘリカルアンテナ４寄りに設けられ、給電ランド９を介して、アンテナの給電端子８と電気的に接続される。無線回路１３は電池１４との距離が短くなるように下部回路基板１５上に設けられ、電池１４から電源を供給されている。
【００２１】
無線回路１３と整合回路１０とは同軸ケーブル１６を介して電気的に接続される。同軸ケーブル１６はヒンジ部３を通り、整合回路１０の給電コネクタ１１と無線回路１３の給電コネクタ１２に接続される。給電コネクタ１１，１２は同軸ケーブル１６が出来る限り短くなるように各基板のヒンジ部寄りに設けられている。
【００２２】
上記のように構成した折畳式携帯無線機において、無線周波数を９００ＭＨｚに設定した場合のアンテナ動作の説明を行う。
【００２３】
図６は、上記の構成の折畳式携帯無線機を、使用者が手で保持して通話を行う通話状態を説明した図である。使用者は発音部６を耳に当てて通話するため、ヒンジ部３近辺に設けられたヘリカルアンテナ４は頭部２２から離れる。したがって、図９に示すような上部筐体の上端にアンテナが配置されている従来構成と比較して、通話状態において高いアンテナ性能が確保できる。
【００２４】
また、筐体を閉じて折畳式携帯無線機を金属板のような物体上に置くとき、一般的に副表示部５が上に向くように置かれる。そのため、図２に示すように、上部筐体に配置されたヘリカルアンテナ４と金属板１９との間隔ｈ１は常に２０ｍｍ程度確保でき、アンテナが金属板１９から離れる。
【００２５】
図５は本実施例を金属板上に置いた状態の水平面（ＸＹ面）の指向性である。２０は垂直偏波、２１は水平偏波を表している。図５の水平面指向性から求めた本実施例の水平面利得は−１４［ｄＢｄ］である。一方、図７に示すようなアンテナが下部筐体のヒンジ部側に配置された従来例の水平面利得は−２２［ｄＢｄ］である。したがって、本実施例の構成を用いることにより、筐体を閉じて金属板上に置いた状態において高いアンテナ利得が得られる。
【００２６】
また、無線回路１３の給電コネクタ１２と整合回路１０の給電コネクタ１１との両方をヒンジ部３側に配置し、同軸ケーブル１６の長さが出来る限り短くなるように構成している。そのため、同軸ケーブル１６による損失が低減され、アンテナ利得を高くする効果が得られている。
【００２７】
なお、本実施形態ではアンテナ４としてヘリカルアンテナを用いているが、内蔵された逆Ｌアンテナや逆Ｆアンテナでもよい。
【産業上の利用可能性】
【００２８】
折畳式携帯無線機において、筐体を閉じて金属板上に置いた場合と通話状態の両方において高いアンテナ性能を確保することが可能であり、折畳式携帯電話機等に有用である。
【図面の簡単な説明】
【００２９】
【図１】本発明の実施形態に係る折畳式携帯無線機の筐体を開いた状態の斜視図
【図２】本発明の実施形態に係る折畳式携帯無線機の筐体を閉じて金属板上に置いた側面図
【図３】本発明の実施形態に係る折畳式携帯無線機の筐体を開いた状態の側面図
【図４】本発明の実施形態に係る折畳式携帯無線機のアンテナ近傍の拡大図
【図５】本発明の実施形態に係る折畳式携帯無線機における金属板上のアンテナ指向性を示す図
【図６】本発明の実施形態に係る折畳式携帯無線機の通話状態を説明した図
【図７】第１の従来例の側面図
【図８】第１の従来例の通話状態を説明した図
【図９】第２の従来例の側面図
【図１０】第２の従来例の通話状態を説明した図
【符号の説明】
【００３０】
１  上部筐体
２  下部筐体
３  ヒンジ部
４  ヘリカルアンテナ
５  副表示部
６  発音部
７  主表示部
８  給電端子
９  給電ランド
１０  整合回路
１１  給電コネクタ
１２  給電コネクタ
１３  無線回路
１４  電池
１５  下部回路基板
１６  同軸ケーブル
１７  上部回路基板
１８  取付ねじ
１９  金属板
２０  垂直偏波
２１  水平偏波
２２  人体頭部
【図１】
2005348096.tif 000003
【図２】
2005348096.tif 000004
【図３】
2005348096.tif 000005
【図４】
2005348096.tif 000006
【図５】
2005348096.tif 000007
【図６】
2005348096.tif 000008
【図７】
2005348096.tif 000009
【図８】
2005348096.tif 000010
【図９】
2005348096.tif 000011
【図１０】
2005348096.tif 000012